(57)【要約】      （修正有）【課題】摺動型手動ボタンにより、上昇位置、下降位置及び途中位置に任意に止めることができるパトカーランプを備えたパトカーおもちゃを提供する。【解決手段】パトカーランプ装置５は、等長リンクを交叉させた平行定規７ａ、７ｂ及び等長リンクの交差角の変化に伴って昇降される水平昇降台８が水平固定台上に備えられた昇降装置１０と、等長リンクの交差角を変更する伝達リンクと、伝達リンクに水平回転を与える摺動型手動ボタンと、水平昇降台上に固定されたパトカーランプ部４を備え、該パトカーランプ部は、水平昇降台が摺動型手動ボタンにより下降姿勢にされたときには屋根に存する開口面と同じ高さになって直付けの外観を呈し、また水平昇降台が上昇姿勢にされたときには車上高く上昇された外観を呈するようにされ、また等長リンクはパトカーランプ部の下降作動及び上昇作動に伴って露出する外観を呈するようにされる。【選択図】図１
0003131573.tif 000002
【実用新案登録請求の範囲】
【請求項１】
車体部の屋根に開設された開口からパトカーランプ部を昇降させるパトカーランプ装置をもつパトカーおもちゃに関し、前記パトカーランプ装置は、等長リンクを中間で交叉させた１対の平行定規及び該平行定規の等長リンクの交差角の変化に伴って昇降される水平昇降台が水平固定台上に備えられた昇降装置と、中間で軸承されて水平回転することにより前記等長リンクの交差角を変更する伝達リンクと、ガイド溝に沿って摺動されることにより前記伝達リンクに水平回転を与える摺動型手動ボタンと、前記水平昇降台上に固定されたパトカーランプ部とを備え、該パトカーランプ部は、前記水平昇降台が前記摺動型手動ボタンの操作により下降姿勢にされたときには前記屋根に存する開口面と同じ若しくは略同じ高さになって直付けの外観を呈し、また前記水平昇降台が前記摺動型手動ボタンの操作により上昇姿勢にされたときには車上高く上昇された外観を呈するようにされ、また前記等長リンクは、前記パトカーランプ部の下降作動及び上昇作動に伴って露出する外観を呈するようにされたことを特徴とするパトカーおもちゃ。
【考案の詳細な説明】
【技術分野】
【０００１】  本考案は、摺動型手動ボタンの摺動操作により、上昇位置、下降位置及び途中位置に任意に止めることができるパトカーランプを備えているパトカーおもちゃに関する。
【背景技術】
【０００２】  従前、［特許文献１］によって、リンクフレーム図形が前面及び後面に表示された昇降体を介してパトカーランプを昇降させるパトカー玩具が開示されている。また、［特許文献２］によって、リンクフレームが透明部材で被覆された昇降体を介してパトカーランプを昇降させるパトカー玩具が開示されている。【０００３】  しかしながら、前者には、パトカーランプを上げ下げする昇降部がリンクフレーム図形により模造的に表示されているに過ぎないものであって、リアル感に劣る弱点があった。後者には、リンクフレームの動く様を幼児等遊戯者に見せてその動きを理解させようとする場合、透明部材の表面の反射が邪魔になって観察し難くなることが往々にあったので、前記動く様を仔細に観察するには不向きであるという弱点があった。【０００４】  しかも、前記両昇降体は、［特許文献１］［特許文献２］に記載されているように、バネや電動機によりパトカーランプ部を強制的に勢い良く上昇させるもので、上昇の途中で任意に止める構成にされていないものであったから、該強制的上昇が原因で発生するであろう怪我等の危険回避には充分に対処できていないという問題があった。
【特許文献１】特開２００２−６６１５８号公報
【特許文献２】特開２００３−２７５４７４号公報
【考案の開示】
【考案が解決しようとする課題】
【０００５】  そこで、本考案は、前記した弱点及び問題を解決する工夫を施した新規のパトカーおもちゃを提供する。
【課題を解決するための手段】
【０００６】  上記課題を達成するために、本考案に係るパトカーおもちゃは、車体部の屋根に開設された開口からパトカーランプ部を昇降させるパトカーランプ装置をもつパトカーおもちゃに関し、前記パトカーランプ装置は、等長リンクを中間で交叉させた１対の平行定規及び該平行定規の等長リンクの交差角の変化に伴って昇降される水平昇降台が水平固定台上に備えられた昇降装置と、中間で軸承されて水平回転することにより前記等長リンクの交差角を変更する伝達リンクと、ガイド溝に沿って摺動されることにより前記伝達リンクに水平回転を与える摺動型手動ボタンと、前記水平昇降台上に固定されたパトカーランプ部とを備え、該パトカーランプ部は、前記水平昇降台が前記摺動型手動ボタンの操作により下降姿勢にされたときには前記屋根に存する開口面と同じ若しくは略同じ高さになって直付けの外観を呈し、また前記水平昇降台が前記摺動型手動ボタンの操作により上昇姿勢にされたときには車上高く上昇された外観を呈するようにされ、また前記等長リンクは、前記パトカーランプ部の下降作動及び上昇作動に伴って露出する外観を呈するようにされたことを特徴とする。【０００７】  すなわち、本考案に係るパトカーおもちゃは、前記の通りであるので、前記摺動型手動ボタンが摺動されたときには、伝達リンクが回転して前記平行定規の交差角が変更され、これにより前記水平昇降台及び前記パトカーランプ部が上昇又は降下される。また、該上昇又は降下の途中で前記摺動型手動ボタンの摺動操作を止めたときには、これに伴って伝達リンク及び平行定規並びに水平昇降台及びパトカーランプ部は途中で止まる。【０００８】  したがって、上昇時にあっては、該開口から上に平行定規が露出された状態になるから、リアル感に優れた製品の提供が可能になる。【０００９】  しかも、幼児等遊戯者にリンクフレームの動く様を見せてその動きを理解させる場合には、前記露出部を直に観察することが可能になるから、結果として前記透明部材の表面の反射が邪魔になって観察し難くなることは、完全に解消される。つまり、前記動く様を仔細に観察するには向いている。【００１０】  また、前記したように、水平昇降台及びパトカーランプ部は、前記摺動型手動ボタンの摺動操作により上昇位置、下降位置及び途中位置に任意に止め、ストップモーションとして観察することをできる。【００１１】  更に、幼児等遊戯者が、例えば開口部の縁と水平昇降台の縁との間に手指が挟まれてしまうような体勢になっていることに気付かずに、前記摺動型手動ボタンを操作して前記水平昇降台を下降させた場合、該水平昇降台の縁部が前記手指に接した時点で、自分自身が前記操作を止めて途中で停止させることが可能であるから、大事に至ることは回避できる。
【考案の効果】
【００１２】  本考案に係るパトカーおもちゃによれば、前記したように、平行定規が露出された状態にすることが可能になり、かつ途中で止めることが可能になるから、リアル感に優れ、観察に好適で、安全な製品が提供できる。
【考案を実施するための最良の形態】
【００１３】  図１〜図６は、本考案の実施の形態に係るパトカーおもちゃを示す。なお、図１はパトカーランプ部を上昇させた状態を示す全体の斜視図であり、図２はパトカーランプ部を下降させた状態を示す全体の斜視図であり、図３はパトカーランプ部を下降させた状態を示す平面図であり、図４は要部を示す側面図であり、図５は同じく背面図であり、図６はパトカーランプ装置を示す拡大斜視図である。【００１４】  この実施の形態に係るパトカーおもちゃは、図１〜３に示すように、車体部１の屋根２に開設した開口３からパトカーランプ部４を昇降させるパトカーランプ装置５を備えられている。【００１５】  そして、前記パトカーランプ装置５は、図６に示すように、２本の等長リンク６ａ、６ｂが中間で交叉された１対の平行定規７ａ、７ｂ及び該平行定規７ａ、７ｂの等長リンク６ａ、６ｂの交差角の変化に伴って昇降される水平昇降台８が水平固定台９上に備えられた昇降装置１０と、中間で軸承されて水平回転することにより前記等長リンク６ａ、６ｂの交差角を変更する伝達リンク１１と、ガイド溝１２に沿って摺動されることにより前記伝達リンク１１に水平回転を与える摺動型手動ボタン１４と、前記水平昇降台８上に固定されたパトカーランプ部４とが備えられている。パトカーランプ部４は、その中に複数の点滅ランプ４ａが内蔵されている。なお、点滅ランプ４ａの電気回路は、汎用されているものであるので、その詳細説明は省略する。【００１６】  前記各平行定規７ａ、７ｂにおける一方の等長リンク６ａの下端及び他方の等長リンク６ｂの上端は、前記水平固定台９及び水平昇降台８に移動軸１７ａ、１７ｂ及び長孔１８ａ、１８ｂを介して連結され、また一方の等長リンク６ａの上端及び他方の等長リンク６ｂの下端は、前記水平昇降台８及び水平固定台９に固定軸１９ａ、１９ｂ及び軸孔２０ａ、２０ｂを介して連結されている。【００１７】  前記伝達リンク１１は、その基端部２１側には、前記水平固定台９に設けられたレール２２と、該レール２２に沿って摺動するスライダ２３と、該スライダ２３に立設された連結棒２４と、該連結棒２４が移動可能に嵌合する長孔２５から構成された、回転力を直線力に変える変換部２６が設けられ、また先端部２７側には、前記一方の等長リンク６ａを水平固定台９に連結する方の移動軸１７ｂに一端縁部２８が連結されて同移動軸１７ｂに一体化された摺動部材２９と、該摺動部材２９に突設された連結ピン３０と、該連結ピン３０が移動可能に嵌合する長孔３１から構成された、回転力を直線力に変える変換部３２が設けられている。なお、前記変換部２６、３２は、他の構成のものであってもよい。【００１８】  また、前記摺動型手動ボタン１４は、前記連結棒２４の上端に嵌着され、屋根２に設けられたガイド溝１２付き部材１３に案内されて直線移動するようにされている。【００１９】  そして、前記水平固定台９は、固定孔３３がその適宜個所に設けられ、該固定孔３３を利用して車体１内に次のようにして固定されている。すなわち、前記パトカーランプ部４は、前記水平昇降台８が前記摺動型手動ボタン１４の操作により下降姿勢にされたときには、前記屋根２に存する開口３と同じ高さになって直付けの外観を���し、また前記水平昇降台８が前記摺動型手動ボタン１４の操作により上昇姿勢にされたときには、車上高く上昇された外観を呈するようにされ、また平行定規７ａ、７ｂは、前記パトカーランプ部４の下降作動及び上昇作動に伴って露出する外観を呈するようにされた位置関係にして固定されている。【００２０】  前記平行定規７ａ、７ｂは、パンタグラフ状にされたもので実施することができる。この場合、昇降距離を長くできるから、パトカーランプ部４をより高く上げることができる。【００２１】  なお、図に示すパトカーおもちゃは、符号３４で示す押しボタンで、警報音や案内等を発するようにされているが、その詳細な説明は省略する。
【図面の簡単な説明】
【００２２】
【図１】パトカーランプ部を上昇させた状態を示す全体の斜視図である。
【図２】パトカーランプ部を下降させた状態を示す全体の斜視図である。
【図３】パトカーランプ部を下降させた状態を示す全体の平面図である。
【図４】要部を示す側面図である。
【図５】同じく背面図である。
【図６】パトカーランプ装置を示す拡大斜視図である。
【符号の説明】
【００２３】  １  車体部
２  屋根
３  開口
４  パトカーランプ部
４ａ  点滅ランプ
５  パトカーランプ装置
６ａ、６ｂ  等長リンク
７ａ、７ｂ  平行定規
８  水平昇降台
９  水平固定台
１０  昇降装置
１１  伝達リンク
１２  ガイド溝
１３  部材
１４  摺動型手動ボタン
１７ａ、１７ｂ  移動軸
１８ａ、１８ｂ  長孔
１９ａ、１９ｂ  固定軸
２０ａ、２０ｂ  軸孔
２１  基端部
２２  レール
２３  スライダ
２４  連結棒
２５  長孔
２６  変換部
２７  先端部
２８  一端縁部
２９  摺動部材
３０  連結ピン
３１  長孔
３２  変換部
３３  固定孔
３４  押しボタン
【図１】
0003131573.tif 000003
【図２】
0003131573.tif 000004
【図３】
0003131573.tif 000005
【図４】
0003131573.tif 000006
【図５】
0003131573.tif 000007
【図６】
0003131573.tif 000008